(57)【要約】【課題】センサー回路のゲインの調整を容易に行うことができるセンサー回路を提供する。【解決手段】センサー回路１００は、センサー１１０と、増幅部１２０と、制御部１３０と、記憶部１４０とを備える。増幅部１２０は、センサー１１０の出力をゲインに基づいて増幅する。制御部１３０は、プレゲインに基づいた増幅部１２０の出力に基づいてプレゲインを確定ゲインに調整する。記憶部１４０は、確定ゲインを記憶する。【選択図】図２
2018173308.tif 000002
【特許請求の範囲】
【請求項１】
センサーと、
前記センサーの出力をゲインに基づいて増幅する増幅部と、
プレゲインに基づいた前記増幅部の出力に基づいて前記プレゲインを確定ゲインに調整する制御部と、
前記確定ゲインを記憶する記憶部と
を備える、センサー回路。
【請求項２】
前記プレゲインは、複数の段階に変更可能であり、
前記制御部は前記増幅部の出力を検出し、前記制御部が検出した検出結果が所定の範囲内であるか否かを判定し、
前記検出結果が前記所定の範囲内であると判定されなかった場合、前記検出結果が前記所定の範囲内であると判定されるまで、前記制御部が前記プレゲインの段階を調整する、請求項１に記載のセンサー回路。
【請求項３】
前記制御部は、前記検出結果が閾値以上であるか否かを判定し、
前記検出結果が閾値以上であると判定されなかった場合、前記検出結果が前記所定の範囲内であると判定されるまで、前記制御部が前記プレゲインの段階を１段階ずつ上げる、請求項２に記載のセンサー回路。
【請求項４】
前記増幅部は、
前記センサーの出力を増幅する増幅器と、
前記制御部が出力した制御信号に基づいて、前記ゲインを切り替えるゲイン切替部と
を有する、請求項１から請求項３のいずれか１項に記載のセンサー回路。
【請求項５】
前記確定ゲインが前記記憶部に記憶されている場合、
起動時に、前記制御部は、前記記憶部の前記確定ゲインを読みだして、前記増幅部の前記ゲインを設定する、請求項１から請求項４のいずれか１項に記載のセンサー回路。
【請求項６】
請求項１から請求項５のいずれか１項に記載のセンサー回路と、
前記センサー回路の出力に応じて点灯する光源部と
を備える、照明器具。
【請求項７】
センサー回路と検知対象物とを用意する工程であって、前記センサー回路は、センサーと増幅部と制御部と記憶部とを備え、前記増幅部は、前記センサーの出力をゲインに基づいて増幅し、前記記憶部は、前記ゲインを記憶する、工程と、
複数の段階に変更可能であるプレゲインを前記センサー回路に設定する工程と、
前記検知対象物が所定の領域内に存在する際に前記増幅部の出力を前記制御部が検出する工程と、
前記制御部が検出した検出結果が所定の範囲内であるか否かを判定する工程と、
前記検出結果が前記所定の範囲内であると判定されなかった場合、前記検出結果が前記所定の範囲内であると判定されるまで、前記制御部が前記プレゲインの段階を調整する工程と、
前記制御部が調整したプレゲインを確定ゲインとして前記制御部が前記記憶部に記憶させる工程と
を包含する、ゲイン調整方法。
【請求項８】
前記調整する工程において、前記制御部が前記プレゲインの段階を調整した結果、前記検出結果が前記所定の範囲内に入らなかった場合、前記制御部は調整を中止する、請求項７に記載のゲイン調整方法。
【発明の詳細な説明】
【技術分野】
【０００１】
本発明は、センサー回路、照明器具およびゲイン調整方法に関する。
【背景技術】
【０００２】
従来、センサー回路は、センサーの出力を増幅器で増幅し、増幅器の出力が閾値を超えたか否かを判定して、増幅器の出力が閾値以上になった場合に検知対象物を感知したと認識する（例えば、特許文献１）。センサー回路の製品出荷前の検査工程において、検知対象物が所定の領域内に存在する際に、増幅器の出力が所定の範囲内であるか否かを検査することによって、センサー回路の良品と不良品との選別が行われる。
【先行技術文献】
【特許文献】
【０００３】
【特許文献１】特開２０１０−２５５５２号公報
【発明の概要】
【発明が解決しようとする課題】
【０００４】
一般的に、センサーの感度のばらつきは比較的大きい。したがって、特許文献１に記載のセンサー回路では、センサー回路の製品出荷前の検査工程において、センサーの感度のばらつきによって、増幅器の出力が所定の範囲内にならずに不良品と判定されることがある。このような場合、不良品として廃棄するか、人の手によってセンサー回路のゲインを変更し、増幅器の出力を調整する必要があった。
【０００５】
本発明は上記課題に鑑みてなされたものであり、その目的はセンサー回路のゲインの調整を容易に行うことができるセンサー回路、照明器具およびゲイン調整方法を提供することにある。
【課題を解決するための手段】
【０００６】
本願に開示するセンサー回路は、センサーと、増幅部と、制御部と、記憶部とを備える。前記増幅部は、前記センサーの出力をゲインに基づいて増幅する。前記制御部は、プレゲインに基づいた前記増幅部の出力に基づいて前記プレゲインを確定ゲインに調整する。前記記憶部は、前記確定ゲインを記憶する。
【０００７】
本願に開示するセンサー回路において、前記プレゲインは、複数の段階に変更可能であることが好ましい。前記制御部は、前記増幅部の出力を検出することが好ましい。前記制御部は、前記制御部が検出した検出結果が所定の範囲内であるか否かを判定することが好ましい。前記検出結果が前記所定の範囲内であると判定されなかった場合、前記検出結果が前記所定の範囲内であると判定されるまで、前記制御部が前記プレゲインの段階を調整することが好ましい。
【０００８】
本願に開示するセンサー回路において、前記制御部は、前記検出結果が閾値以上であるか否かを判定することが好ましい。前記検出結果が閾値以上であると判定されなかった場合、前記検出結果が前記所定の範囲内であると判定されるまで、前記制御部が前記プレゲインの段階を１段階ずつ上げることが好ましい。
【０００９】
本願に開示するセンサー回路において、前記増幅部は、増幅器と、ゲイン切替部とを有することが好ましい。前記増幅器は、前記センサーの出力を増幅することが好ましい。前記ゲイン切替部は、前記制御部が出力した制御信号に基づいて、前記ゲインを切り替えることが好ましい。
【００１０】
本願に開示するセンサー回路において、前記確定ゲインが前記記憶部に記憶されている場合、起動時に、前記制御部は、前記記憶部の前記確定ゲインを読みだして、前記増幅部の前記ゲインを設定することが好ましい。
【００１１】
本願に開示する照明器具は、上記に記載のセンサー回路と、光源部とを備える。前記光源部は、前記センサー回路の出力に応じて点灯する。
【００１２】
本願に開示するゲイン調整方法は、用意する工程と、設定する工程と、検出する工程と、判定する工程と、調整する工程と、記憶させる工程とを包含する。前記用意する工程において、センサー回路と検知対象物とを用意する。前記センサー回路は、センサーと増幅部と制御部と記憶部とを備える。前記増幅部は、前記センサーの出力をゲインに基づいて増幅する。前記記憶部は、前記ゲインを記憶する。前記設定する工程において、プレゲインを前記センサー回路に設定する。前記プレゲインは、複数の段階に変更可能である。前記検出する工程において、前記検知対象物が所定の領域内に存在する際に前記増幅部の出力を前記制御部が検出する。前記判定する工程において、前記制御部が検出した検出結果が所定の範囲内であるか否かを判定する。前記調整する工程において、前記検出結果が前記所定の範囲内であると判定されなかった場合、前記検出結果が前記所定の範囲内であると判定されるまで、前記制御部が前記プレゲインの段階を調整する。前記記憶させる工程において、前記制御部が調整したプレゲインを確定ゲインとして前記制御部が前記記憶部に記憶させる。
【００１３】
本願に開示するゲイン調整方法において、前記調整する工程において、前記制御部が前記プレゲインの段階を調整した結果、前記検出結果が前記所定の範囲内に入らなかった場合、前記制御部は調整を中止することが好ましい。
【発明の効果】
【００１４】
本発明よれば、容易にセンサー回路のゲインの調整をすることができる。
【図面の簡単な説明】
【００１５】
【図１】（ａ）は、本発明の実施形態に係る照明器具の正面側を示す斜視図である。（ｂ）は、本発明の実施形態に係る照明器具の正面側を示す平面図である。
【図２】本発明の実施形態に係る照明器具のブロック図である。
【図３】センサーと増幅部と制御部とを示す図である。
【図４】センサー回路の検査装置を示す模式図である。
【図５】ゲインの調整方法を説明するためのタイムチャートである。
【図６】本発明の実施形態に係るセンサー回路のゲインの調整方法を示すフローチャートである。
【図７】本発明の実施形態に係るセンサー回路のゲインの調整方法を示すフローチャートである。
【図８】本発明の実施形態に係る照明器具のブロック図である。
【発明を実施するための形態】
【００１６】
以下、本発明の実施形態について、図面を参照しながら説明する。なお、図中、同一または相当部分については同一の参照符号を付して説明を繰り返さない。
【００１７】
図１を参照して、本発明の実施形態に係る照明器具１について説明する。図１（ａ）は、本発明の実施形態に係る照明器具１の正面側を示す斜視図である。図１（ｂ）は、本発明の実施形態に係る照明器具１の正面側を示す平面図である。図１（ａ）および図１（ｂ）に示すように、照明器具１は、略円板状であり、光源部２０と、センサー回路１００と、カバー７と、パネル９と、外装部材１１とを備える。例えば、照明器具１は、天井のような天壁または側壁に取り付けられる。
【００１８】
光源部２０は、複数のＬＥＤ（Ｌｉｇｈｔ  Ｅｍｉｔｔｉｎｇ  Ｄｉｏｄｅ）２０ａと、基板２０ｂとを含む。複数のＬＥＤ２０ａは略円形または略多角形の基板２０ｂに実装される。ＬＥＤ２０ａは発光素子として機能する。例えば、光源部２０は、ＳＭＤ（Ｓｕｒｆａｃｅ  Ｍｏｕｎｔ  Ｄｅｖｉｃｅ）タイプである。ＳＭＤタイプは、ＬＥＤ２０ａと蛍光体とを１ユニット化してＬＥＤチップを形成し、複数のＬＥＤチップを基板２０ｂの実装面に載置して基板２０ｂの導電パターンに電気的に接続することにより光源部２０を形成するタイプである。例えば、光源部２０は、ＣＯＢ（Ｃｈｉｐ  ｏｎ  Ｂｏａｒｄ）タイプであってもよい。ＣＯＢタイプは、複数のＬＥＤ２０ａを蛍光体で封止することにより光源部２０を形成するタイプである。なお、光源部２０は１つのＬＥＤ２０ａを含んでいてもよい。
【００１９】
カバー７は光源部２０を覆う。カバー７は、略優弧状の外縁と略直線状の外縁とを含む。カバー７は、例えば、ＬＥＤ２０ａが発光した光を拡散して出射する。例えば、カバー７は、光拡散材料を混ぜた樹脂を板状に成形することによって形成される。例えば、カバー７は、透明の板状部材の光出射面または光入射面に微小な凹凸を設けることによって形成される。例えば、カバー７は、白色のような色彩を有する。
【００２０】
パネル９は、略劣弧状の外縁と略直線状の外縁とを含む。パネル９は、カバー７に隣接し、パネル９とカバー７とで、略円形を形成する。パネル９は遮光する。パネル９の全部が遮光することが好ましいが、パネル９の一部が遮光してもよい。例えば、パネル９は、遮光する材料で形成され、または遮光する塗料で塗装される。外装部材１１は、略円筒状であり、照明器具１の外装を形成する。
【００２１】
センサー回路１００は、センサー１１０と、増幅部１２０と、制御部１３０と、記憶部１４０と、基板１６０とを有する。増幅部１２０と、制御部１３０と、記憶部１４０とは、基板１６０に実装される。
【００２２】
センサー１１０は、例えば、焦電型の人感センサーであり、人または動物などが放射する赤外線を検知する。センサー１１０は、平面視において、光源部２０と異なる位置に配置される。センサー１１０は、パネル９に形成された略円形状の開口部５２から露出する。
【００２３】
増幅部１２０は、センサー１１０の出力をゲインに基づいて増幅する。詳しくは、増幅部１２０は、センサー１１０が出力された信号の電圧値を、ゲインに応じて増幅する。ゲインは、例えば、２０倍、２５倍、３３倍、５０倍または１００倍である。
【００２４】
制御部１３０は、センサー１１０と、増幅部１２０と、記憶部１４０と、光源部２０とを制御する。制御部１３０は、例えば、マイクロコンピューターを含む。制御部１３０は、増幅部１２０の出力と閾値とを比較し、増幅部１２０の出力が閾値以上であるか否かによって、所定の領域内に人が居るか否かを判定する。そして、制御部１３０が所定の領域内に人が居るか否かを判定することによって、制御部１３０は光源部２０が点灯または消灯するよう制御する。例えば、所定の領域内に人が居る場合、増幅部１２０の出力が閾値以上になり、制御部１３０は、所定の領域内に人が居ると判定し、光源部２０を点灯するように制御する。一方、所定の領域内に人が居ない場合、増幅部１２０の出力が閾値を超えないため、制御部１３０は、光源部２０を消灯するように制御する。このように、光源部２０はセンサー回路１００の出力に応じて点灯する。
【００２５】
記憶部１４０は、ゲインを記憶する。センサー回路１００の起動時に、制御部１３０が、記憶部１４０に記憶されているゲインを読みだして、増幅部１２０のゲインに設定する。
【００２６】
図２および図３を参照して、本発明の実施形態に係る照明器具１についてさらに説明する。図２は、本発明の実施形態に係る照明器具１のブロック図である。図３は、センサー１１０と増幅部１２０と制御部１３０とを示す図である。照明器具１は、電源回路１０と、光源部２０と、センサー回路１００とを備える。センサー回路１００は、センサー１１０と、増幅部１２０と、制御部１３０と、記憶部１４０とを有する。照明器具１は、外部スイッチ２２０を介して交流電源２１０に接続される。外部スイッチ２２０は、壁スイッチである。外部スイッチ２２０がオンになると、交流電源２１０から電力が照明器具１に供給される。一方、外部スイッチ２２０がオフになると、交流電源２１０から照明器具１に供給される電力が遮断される。
【００２７】
電源回路１０は、光源部２０と、センサー１１０と、増幅部１２０と、制御部１３０と、記憶部１４０とに接続される。電源回路１０は、光源部２０と、センサー１１０と、増幅部１２０と、制御部１３０と、記憶部１４０とへ給電する。
【００２８】
制御部１３０は、光源部２０と、センサー１１０と、増幅部１２０と、記憶部１４０とに接続される。制御部１３０は、光源部２０と、センサー１１０と、増幅部１２０と、記憶部１４０とを制御する。
【００２９】
図３に示すように、増幅部１２０は、増幅器１２２と、ゲイン切替部１２４とを有する。
【００３０】
増幅器１２２は、センサー１１０の出力を増幅する。増幅器１２２は、オペアンプＯＰ１と、抵抗器ｒ０と、抵抗器ｒ１１とを有する。オペアンプＯＰ１は、非反転入力端子（＋）と、反転入力端子（−）とを有する。オペアンプＯＰ１の非反転入力端子（＋）には、センサー１１０の出力が接続されている。オペアンプＯＰ１の出力は、制御部１３０に接続している。さらに、オペアンプＯＰ１の出力は、抵抗器ｒ１１を介して反転入力端子（−）に接続している。本実施形態では、抵抗器ｒ１１の抵抗値は、例えば１００ｋΩである。また、反転入力端子（−）には、抵抗器ｒ０が接続されている。抵抗器ｒ０の抵抗値は、例えば１ｋΩである。
【００３１】
ゲイン切替部１２４は、抵抗器ｒ１と、抵抗器ｒ２と、抵抗器ｒ３と、抵抗器ｒ４と、トランジスタＴｒ１と、トランジスタＴｒ２と、トランジスタＴｒ３と、トランジスタＴｒ４とを有する。抵抗器ｒ１と、抵抗器ｒ２と、抵抗器ｒ３と、抵抗器ｒ４とは増幅器１２２に接続される。詳しくは、オペアンプＯＰ１の反転入力端子（−）とグランドとの間に、抵抗器ｒ０と、抵抗器ｒ１と、抵抗器ｒ２と、抵抗器ｒ３と、抵抗器ｒ４とが直列に接続されている。本実施形態では、抵抗器ｒ１の抵抗値と、抵抗器ｒ２の抵抗値と、抵抗器ｒ３の抵抗値と、抵抗器ｒ４の抵抗値とは、いずれも例えば１ｋΩである。
【００３２】
トランジスタＴｒ１と、トランジスタＴｒ２と、トランジスタＴｒ３と、トランジスタＴｒ４とは、例えば、バイポーラ型トランジスタである。トランジスタＴｒ１のエミッタと、トランジスタＴｒ２のエミッタと、トランジスタＴｒ３のエミッタと、トランジスタＴｒ４のエミッタとは、それぞれ、グランドに接続されている。トランジスタＴｒ１のベースと、トランジスタＴｒ２のベースと、トランジスタＴｒ３のベースと、トランジスタＴｒ４のベースとは、それぞれ、制御部１３０に接続されており、制御部１３０から出力された制御信号が入力される。トランジスタＴｒ１のコレクタは、抵抗器ｒ０と抵抗器ｒ１との間に並列に接続されている。トランジスタＴｒ２のコレクタは、抵抗器ｒ１と抵抗器ｒ２との間に並列に接続されている。トランジスタＴｒ３のコレクタは、抵抗器ｒ２と抵抗器ｒ３との間に並列に接続されている。トランジスタＴｒ４のコレクタは、抵抗器ｒ３と抵抗器ｒ４との間に並列に接続されている。
【００３３】
ゲイン切替部１２４は、制御部１３０が出力した制御信号に基づいて、ゲインを切り替える。詳しくは、ゲイン切替部１２４は、制御部１３０から出力される制御信号に基づいて、抵抗器ｒ１〜抵抗器ｒ４のうちの増幅器１２２からグランドまでにある抵抗器の抵抗値の総和を切り替える。その結果、抵抗器ｒ０〜抵抗器ｒ４のうちの反転入力端子（−）からグランドまでにある抵抗器の抵抗値の総和を切り替える。なお、本明細書の以下の説明において、抵抗器ｒ０〜抵抗器ｒ４のうちの反転入力端子（−）からグランドまでにある抵抗器の抵抗値の総和を総和抵抗値と記載することがある。
【００３４】
増幅部１２０は、センサー１１０の出力をゲインに基づいて増幅する。詳しくは、増幅部１２０は、抵抗器ｒ１１の抵抗値と、総和抵抗値との比に応じて、センサー１１０の出力を増幅する。詳しくは、制御部１３０は、制御信号を増幅部１２０に出力し、トランジスタＴｒ１と、トランジスタＴｒ２と、トランジスタＴｒ３と、トランジスタＴｒ４とのオン／オフを制御することによって総和抵抗値を変更してゲインを変更する。
【００３５】
例えば、制御部１３０は、トランジスタＴｒ１と、トランジスタＴｒ２と、トランジスタＴｒ３と、トランジスタＴｒ４との全てがオフになるように制御する。詳しくは、制御部１３０は、制御信号として、トランジスタＴｒ１と、トランジスタＴｒ２と、トランジスタＴｒ３と、トランジスタＴｒ４とにＬＯＷレベルを出力する。その結果、総和抵抗値は５ｋΩとなる。したがって、ゲインは１００／５＝２０倍となる。すなわち、増幅部１２０は、センサー１１０の出力を２０倍にして制御部１３０に出力する。
【００３６】
また、別のゲインに設定する場合は、制御部１３０は、トランジスタＴｒ１と、トランジスタＴｒ２と、トランジスタＴｒ３とがオフになるように制御し、トランジスタＴｒ４がオンになるように制御する。詳しくは、制御部１３０は、制御信号として、トランジスタＴｒ１と、トランジスタＴｒ２と、トランジスタＴｒ３とにＬＯＷレベルを出力する。さらに、制御部１３０は、制御信号として、トランジスタＴｒ４にＨＩＧＨレベルを出力する。その結果、総和抵抗値は４ｋΩとなる。したがって、ゲインは１００／４＝２５倍となる。すなわち、増幅部１２０は、センサー１１０の出力を２５倍にして制御部１３０に出力する。
【００３７】
また、さらに別のゲインに設定する場合は、制御部１３０は、トランジスタＴｒ１と、トランジスタＴｒ２とがオフになるように制御し、トランジスタＴｒ３と、トランジスタＴｒ４とがオンになるように制御する。詳しくは、制御部１３０は、制御信号として、トランジスタＴｒ１と、トランジスタＴｒ２とにＬＯＷレベルを出力する。さらに、制御部１３０は、制御信号として、トランジスタＴｒ３とトランジスタＴｒ４とにＨＩＧＨレベルを出力する。その結果、総和抵抗値は３ｋΩとなる。したがって、ゲインは１００／３≒３３倍となる。すなわち、増幅部１２０は、センサー１１０の出力を３３倍にして制御部１３０に出力する。
【００３８】
また、さらに別のゲインに設定する場合は、制御部１３０は、トランジスタＴｒ１をオフになるように制御し、トランジスタＴｒ２と、トランジスタＴｒ３と、トランジスタＴｒ４とがオンになるように制御する。詳しくは、制御部１３０は、制御信号として、トランジスタＴｒ１にＬＯＷレベルを出力する。さらに、制御部１３０は、制御信号として、トランジスタＴｒ２と、トランジスタＴｒ３と、トランジスタＴｒ４とにＨＩＧＨレベルを出力する。その結果、総和抵抗値は２ｋΩとなる。したがって、ゲインは１００／２＝５０倍となる。すなわち、増幅部１２０は、センサー１１０の出力を５０倍にして制御部１３０に出力する。
【００３９】
また、さらに別のゲインに設定する場合は、制御部１３０は、トランジスタＴｒ１と、トランジスタＴｒ２と、トランジスタＴｒ３と、トランジスタＴｒ４との全てがオンになるように制御する。詳しくは、制御部１３０は、制御信号として、トランジスタＴｒ１と、トランジスタＴｒ２と、トランジスタＴｒ３と、トランジスタＴｒ４とにＨＩＧＨレベルを出力する。その結果、総和抵抗値は１ｋΩとなる。したがって、ゲインは１００／１＝１００倍となる。すなわち、増幅部１２０は、センサー１１０の出力を１００倍にして制御部１３０に出力する。
【００４０】
このように、センサー回路１００は、複数の段階にゲインを変更可能である。本実施形態では、センサー回路１００は、ゲインを２０倍、２５倍、３３倍、５０倍、１００倍の５段階に変更可能である。センサー回路１００では、制御部１３０がゲイン切替部１２４を制御し、ゲインを切り替えることによってゲインを調整することができる。センサー回路１００のゲインの調整は、センサー回路１００の製品出荷前の検査工程において行われることが好ましい。
【００４１】
図２〜図５を参照して、本発明の実施形態に係るセンサー回路１００のゲインの調整について説明する。図４は、センサー回路１００の検査装置３００を示す模式図である。図５は、ゲインの調整方法を説明するためのタイムチャートである。図５（ａ）は、センサー回路１００に対して所定の領域内に検知対象物３４０（赤外線を発するもの）が存在するか否かを示す仮想的な波形である。図５（ａ）において、ＨＩＧＨレベルの場合、所定の領域内に検知対象物３４０が存在することを示し、ＬＯＷレベルの場合、所定の領域内に検知対象物３４０が存在しないことを示す。図５（ｂ）〜図５（ｄ）は、増幅部１２０の出力の波形を示す。
【００４２】
図４に示すように、検査装置３００は、チャンバー３１０と、冶具３２０と、支持部材３３０とを備える。冶具３２０は、チャンバー３１０の天井に取り付けられる。センサー回路１００は、冶具３２０にセットされる。支持部材３３０は、検知対象物３４０を支持する。支持部材３３０は、移動方向Ｄ１に移動可能である。支持部材３３０が移動方向Ｄ１に移動することによって、検知対象物３４０は移動方向Ｄ１に移動する。検査工程において、チャンバー３１０内の温度は一定に保たれる。チャンバー３１０内の温度は、例えば、２５℃である。また、検知対象物３４０は、例えば、温度が一定に保たれた熱源である。検知対象物３４０の温度は、例えば、３５℃である。検知対象物３４０を所定の速度で移動させて、センサー回路１００が検知対象物３４０を検知することによって、増幅部１２０の出力が閾値の範囲内であるか否かによって、センサー回路１００が良品であるか不良品であるかが判定される。
【００４３】
検査工程において、センサー回路１００のゲインは調整される。詳しくは、変更可能な複数の段階のうちいずれか１つにゲインを調整する。本明細書において、調整前のゲインをプレゲイン、調整後のゲインを確定ゲインと記載することがある。
【００４４】
最初に、制御部１３０は、プレゲインの段階を下限にして、センサー回路１００に設定する。本実施形態では、制御部１３０は、プレゲインを２０倍として、センサー回路１００に設定する。詳しくは、制御部１３０は、総和抵抗値が５ｋΩとなるように、制御信号を増幅部１２０に出力し、トランジスタＴｒ１〜トランジスタＴｒ４を制御する。
【００４５】
図５（ｂ）に示すように、検知対象物３４０を検知すると、増幅部１２０はセンサー１１０の出力を２０倍に増幅し制御部１３０に出力する。制御部１３０は増幅部１２０の出力を検出し、制御部１３０が検出した検出結果が所定の範囲内であるか否かを判定する。本実施形態では、制御部１３０は増幅部１２０の出力を検出し、制御部１３０が検出した検出結果が閾値Ｔｈ以上であるか否かを判定する。
【００４６】
検出結果が所定の範囲内であると判定されなかった場合、検出結果が所定の範囲内であると判定されるまで、制御部１３０がプレゲインの段階を調整する。本実施形態では、検出結果が閾値Ｔｈ以上であると判定されなかった場合、検出結果が所定の範囲内であると判定されるまで、制御部１３０がプレゲインの段階を１段階ずつ上げる。図５（ｂ）に示すように、検出結果が閾値Ｔｈ以上であると判定されないため、制御部１３０がプレゲインの段階を１段階上げて、プレゲインを２５倍として、センサー回路１００に設定する。詳しくは、制御部１３０は、総和抵抗値が４ｋΩとなるように、制御信号を増幅部１２０に出力し、トランジスタＴｒ１〜トランジスタＴｒ４を制御する。
【００４７】
図５（ｃ）に示すように、検知対象物３４０を検知すると、増幅部１２０はセンサー１１０の出力を２５倍に増幅し制御部１３０に出力する。制御部１３０は増幅部１２０の出力を検出し、制御部１３０が検出した検出結果が所定の範囲内であるか否かを判定する。本実施形態では、制御部１３０は増幅部１２０の出力を検出し、制御部１３０が検出した検出結果が閾値Ｔｈ以上であるか否かを判定する。
【００４８】
ここでも、検出結果が閾値Ｔｈ以上であると判定されないため、制御部１３０がプレゲインの段階を１段階上げて、プレゲインを３３倍として、センサー回路１００に設定する。詳しくは、制御部１３０は、総和抵抗値が３ｋΩとなるように、制御信号を増幅部１２０に出力し、トランジスタＴｒ１〜トランジスタＴｒ４を制御する。
【００４９】
図５（ｄ）に示すように、検知対象物３４０を検知すると、増幅部１２０はセンサー１１０の出力を３３倍に増幅し制御部１３０に出力する。制御部１３０は増幅部１２０の出力を検出し、制御部１３０が検出した検出結果が所定の範囲内であるか否かを判定する。本実施形態では、制御部１３０は増幅部１２０の出力を検出し、制御部１３０が検出した検出結果が閾値Ｔｈ以上であるか否かを判定する。
【００５０】
ここでは、検出結果が閾値Ｔｈ以上であると判定されるため、プレゲインを確定ゲインとして記憶部１４０に記憶する。
【００５１】
このように、制御部１３０は、プレゲインに基づいた増幅部１２０の出力に基づいてプレゲインを確定ゲインに調整する。そして、確定ゲインは記憶部１４０に記憶される。確定ゲインが記憶部１４０に記憶されている場合、センサー回路１００の起動時に、制御部１３０は、記憶部１４０の確定ゲインを読みだして、増幅部１２０のゲインを設定する。したがって、センサー回路１００の製品出荷前の検査工程において調整された適正なゲインで、製品出荷後に動作させることができる。
【００５２】
以上、図１〜図５を参照して説明したように、センサー回路１００において、制御部１３０は、プレゲインに基づいた増幅部１２０の出力に基づいてプレゲインを確定ゲインに調整する。したがって、制御部１３０が自動的にゲインを調整する。その結果、センサー回路１００のゲインの調整を容易に行うことができる。
【００５３】
また、制御部１３０は増幅部１２０の出力を検出し、制御部１３０が検出した検出結果が所定の範囲内であるか否かを判定する。検出結果が所定の範囲内であると判定されなかった場合、検出結果が所定の範囲内であると判定されるまで、制御部１３０がプレゲインの段階を調整する。したがって、ゲインの調整前では検出結果が範囲外であったセンサー回路１００を、ゲインの調整をすることによって検出結果が所定の範囲内になるようにすることができる。その結果、製品出荷後の検査工程において不良品となるセンサー回路１００を少なくすることができ、歩留まりを向上させることができる。
【００５４】
図２〜図４および図６を参照して、本発明の実施形態に係るゲインの調整方法について説明する。図６は、本発明の実施形態に係るセンサー回路１００のゲインの調整方法を示すフローチャートである。ステップＳ１０２〜ステップＳ１１２の処理が実行されることによってゲイン調整が行われる。
【００５５】
ステップＳ１０２：センサー回路１００と、検知対象物３４０とを用意する。処理はステップＳ１０４に進む。
【００５６】
ステップＳ１０４：制御部１３０は、プレゲインをセンサー回路１００に設定する。処理はステップＳ１０６に進む。
【００５７】
ステップＳ１０６：検知対象物３４０が所定の領域内に存在する際に、制御部１３０は、増幅部１２０の出力を検出する。処理はステップＳ１０８に進む。
【００５８】
ステップＳ１０８：制御部１３０は、検出結果が所定の範囲内であるか否かを判定する。制御部１３０が検出した結果が所定の範囲内でないと判定した場合（ステップＳ１０８：Ｎｏ）、処理はステップＳ１１２に進む。制御部１３０が検出した結果が所定の範囲内であると判定した場合（ステップＳ１０８：Ｙｅｓ）、処理はステップＳ１１０に進む。
【００５９】
ステップＳ１１０：制御部１３０が調整したプレゲインを確定ゲインとして制御部１３０が記憶部１４０に記憶させる。処理は終了する。
【００６０】
ステップＳ１１２：制御部１３０がプレゲインの段階を変更する。例えば、検出結果が所定の範囲よりも小さい場合は、制御部１３０は、プレゲインの段階を上げる。または、検出結果が所定の範囲よりも大きい場合は、制御部１３０は、プレゲインの段階を下げる。処理はステップＳ１０６に戻る。
【００６１】
以上、図２〜図４および図６を参照して説明したように、本発明の実施形態に係るゲインの調整方法では、検出結果（増幅部１２０の出力）が所定の範囲内であると判定されなかった場合、検出結果が所定の範囲内であると判定されるまで、制御部１３０がプレゲインの段階を調整する。したがって、制御部１３０が自動的にゲインを調整する。その結果、センサー回路１００のゲインの調整を容易に行うことができる。また、ゲインの調整前では検出結果が範囲外であったセンサー回路１００を、ゲインの調整をすることによって検出結果が所定の範囲内になるように増幅部１２０の出力を調整することができる。その結果、製品出荷後の検査工程において不良品となるセンサー回路１００を少なくすることができ、歩留まりを向上させることができる。
【００６２】
また、本発明の実施形態に係るゲインの調整方法では、制御部１３０が調整したプレゲインを確定ゲインとして制御部１３０が記憶部１４０に記憶させる。したがって、センサー回路１００の起動時に、調整された確定ゲインを読みだして適正なゲインを増幅部１２０に設定することができる。
【００６３】
図２〜図４および図７を参照して、本発明の実施形態に係るゲインの調整方法について説明する。図７は、本発明の実施形態に係るセンサー回路１００のゲインの調整方法を示すフローチャートである。ステップＳ２０２〜ステップＳ２１４の処理が実行されることによってゲイン調整が行われる。
【００６４】
ステップＳ２０２：センサー回路１００と、検知対象物３４０とを用意する。処理はステップＳ２０４に進む。
【００６５】
ステップＳ２０４：制御部１３０は、プレゲインの段階を下限にしてセンサー回路１００に設定する。処理はステップＳ２０６に進む。
【００６６】
ステップＳ２０６：検知対象物３４０が所定の領域内に存在する際に、制御部１３０は、増幅部１２０の出力を検出する。処理はステップＳ２０８に進む。
【００６７】
ステップＳ２０８：制御部１３０は、検出結果が閾値以上であるか否かを判定する。制御部１３０が検出した結果が閾値以上でないと判定した場合（ステップＳ２０８：Ｎｏ）、処理はステップＳ２１２に進む。制御部１３０が検出した結果が閾値以上であると判定した場合（ステップＳ２０８：Ｙｅｓ）、処理はステップＳ２１０に進む。
【００６８】
ステップＳ２１０：制御部１３０が調整したプレゲインを確定ゲインとして制御部１３０が記憶部１４０に記憶させる。処理は終了する。
【００６９】
ステップＳ２１２：制御部１３０は、プレゲインの段階が上限であるか否かを判定する。制御部１３０がプレゲインの段階が上限でないと判定した場合（ステップＳ２１２：Ｎｏ）、処理はステップＳ２１４に進む。制御部１３０がプレゲインの段階が上限であると判定した場合（ステップＳ２１２：Ｙｅｓ）、ゲインの段階の変更がこれ以上できないため、制御部１３０はゲインの段階の調整を中止する。処理は終了する。
【００７０】
ステップＳ２１４：制御部１３０は、プレゲインの段階を１段階上げる。処理は、ステップＳ２０６に戻る。
【００７１】
以上、図２〜図４および図７を参照して説明したように、本発明の実施形態に係るゲインの調整方法では、制御部１３０がプレゲインの段階を調整した結果、検出結果が所定の範囲内に入らなかった場合、制御部１３０は調整を中止する。したがって、センサー回路１００の検査工程において、調整ができないセンサー回路１００については、不良品として選別することができる。
【００７２】
なお、図１〜図５を参照して説明したセンサー回路１００では、製品出荷前の検査工程において、ゲインの調整が行われていたが、製品出荷後にゲインの調整ができるようにしてもよい。
【００７３】
図８を参照して、本発明の実施形態に係る照明器具１について説明する。図８は、本発明の実施形態に係る照明器具１のブロック図である。センサー回路１００が受信部１５０をさらに有する点を除いて、図２の照明器具１と同様の構成であるため、重複部分については説明を省略する。
【００７４】
センサー回路１００は、センサー１１０と、増幅部１２０と、制御部１３０と、記憶部１４０とに加えて、さらに、受信部１５０を有する。受信部１５０は、外部から入力される切替信号を受信する。詳しくは、受信部１５０は、例えば、リモートコントローラーからの切替信号を受信する。本実施形態では受信部１５０とリモートコントローラーとは、赤外線や電波などを介した無線通信が可能である。具体的には、リモートコントローラーにおいてセンサー回路１００のゲインを１段階上げるまたは１段階下げることを示す操作が行われた際、リモートコントローラーから切替信号が送信される。受信部１５０が切替信号を受信すると、制御部１３０は、切替信号に基づいて、確定ゲインを切り替える。
【００７５】
以上、図８を参照して説明したように、制御部１３０は、受信部１５０が受信した切替信号に基づいて、確定ゲインを切り替える。したがって、センサー回路１００の製品出荷後、照明器具１が設置されている状態であっても、容易にセンサー回路１００のゲインを変更することができる。
【００７６】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００７７】
（１）図３を参照して説明したセンサー回路１００では、抵抗器ｒ０〜抵抗器ｒ４の抵抗値は、いずれも同じであったが、本発明はこれに限定されない、例えば、抵抗器ｒ０〜抵抗器ｒ４の抵抗値は、異なってもよい。
【００７８】
（２）図３を参照して説明したセンサー回路１００では、制御部１３０は、トランジスタＴｒ１〜トランジスタＴｒ４のそれぞれに制御信号を出力していたが、本発明はこれに限定されない。例えば、制御部１３０は、デジタル信号を増幅部１２０に出力してもよい。この場合、増幅部１２０の内部で、制御部１３０から出力されたデジタル信号に基づいて、トランジスタＴｒ１〜トランジスタＴｒ４に入力される信号が生成される。
【００７９】
（３）図２〜図５および図７を参照して説明したゲインの調整方法では、制御部１３０は、プレゲインの段階を上げてゲインを調整していたが、本発明はこれに限定されない。例えば、制御部１３０は、プレゲインの段階を下げてゲインを調整するようにしてもよい。
【符号の説明】
【００８０】
１        照明器具
２０      光源部
１００    センサー回路
１１０    センサー
１２０    増幅部
１２２    増幅器
１２４    ゲイン切替部
１３０    制御部
１４０    記憶部
１５０    受信部
ｒ０、ｒ１、ｒ２、ｒ３、ｒ４、ｒ１１  抵抗器
【図１】
2018173308.tif 000003
【図２】
2018173308.tif 000004
【図３】
2018173308.tif 000005
【図４】
2018173308.tif 000006
【図５】
2018173308.tif 000007
【図６】
2018173308.tif 000008
【図７】
2018173308.tif 000009
【図８】
2018173308.tif 000010